(57)【要約】【課題】リモート端末で表示されるアイコン画像のルックアンドフィールに合わせつつ、画像処理によってファイルがどのように変換されるかをアイコン画像でユーザーに提示できるようにする。【解決手段】画像処理装置１は、リモート端末において保持されているファイルのアイコン画像を取得するアイコン取得部２２と、画像処理の対象となるファイルを取得するファイル取得部２５と、ファイル取得部２５によって取得されるファイルに対し、ユーザーによって指定された画像処理を行う画像処理部２６と、画像処理が行われる前又は後のファイルを、アイコン画像を用いて表示部１２ａに表示させる表示制御部２３と、ユーザーによって指定された画像処理に基づいて、表示中のアイコン画像を加工して表示させるアイコン加工部２７と、を備える。【選択図】図３
2019029744.tif 000002
【特許請求の範囲】
【請求項１】
リモート端末と通信を行って画像処理を行うことが可能な画像処理装置であって、
表示手段と、
前記リモート端末と通信を行い、前記リモート端末において保持されているファイルのアイコン画像を取得するアイコン取得手段と、
画像処理の対象となるファイルを取得するファイル取得手段と、
前記ファイル取得手段によって取得されるファイルに対し、ユーザーによって指定された画像処理を行う画像処理手段と、
前記画像処理が行われる前又は後のファイルを、前記アイコン画像を用いて前記表示手段に表示させる表示制御手段と、
ユーザーによって指定された画像処理に基づいて、前記表示手段において表示されている前記アイコン画像を加工するアイコン加工手段と、
を備えることを特徴とする画像処理装置。
【請求項２】
前記ファイル取得手段は、前記リモート端末から画像処理の対象となるファイルを取得することを特徴とする請求項１に記載の画像処理装置。
【請求項３】
前記表示制御手段は、前記画像処理が行われる前のファイルに対応する前記アイコン画像、及び、前記画像処理が行われた後のファイルに対応する前記アイコン画像を、前記表示手段に表示させ、
前記アイコン加工手段は、前記画像処理が行われた後のファイルに対応する前記アイコン画像を加工することを特徴とする請求項１又は２に記載の画像処理装置。
【請求項４】
前記アイコン画像は、ファイルのファイル形式に対応するビットマップ画像であることを特徴とする請求項１乃至３のいずれかに記載の画像処理装置。
【請求項５】
前記アイコン加工手段は、ユーザーによって指定された画像処理を強調するように前記アイコン画像を加工することを特徴とする請求項１乃至４のいずれかに記載の画像処理装置。
【請求項６】
前記画像処理手段による画像処理で生成されるファイルを前記リモート端末へ出力するファイル出力手段、
を更に備え、
前記ファイル出力手段は、前記リモート端末へファイルを出力するとき、前記アイコン加工手段において加工された前記アイコン画像を前記リモート端末へ送信することを特徴とする請求項１乃至５のいずれかに記載の画像処理装置。
【請求項７】
前記アイコン加工手段は、ユーザーによって画像処理が指定されたタイミングで前記アイコン画像を加工することを特徴とする請求項１乃至６のいずれかに記載の画像処理装置。
【請求項８】
前記アイコン加工手段は、前記画像処理手段による画像処理が行われる前に前記アイコン画像を加工することを特徴とする請求項１乃至７のいずれかに記載の画像処理装置。
【請求項９】
前記アイコン加工手段で加工された前記アイコン画像を前記リモート端末と関連付けて所定の記憶手段に記憶させた状態で管理するアイコン管理手段、
を更に備えることを特徴とする請求項１乃至８のいずれかに記載の画像処理装置。
【請求項１０】
画像を表示可能な表示手段を有する画像処理装置において実行されるプログラムであって、前記画像処理装置に、
リモート端末と通信を行い、前記リモート端末において保持されているファイルのアイコン画像を取得するアイコン取得ステップと、
画像処理の対象となるファイルを取得するファイル取得ステップと、
前記ファイル取得ステップによって取得されるファイルに対し、ユーザーによって指定された画像処理を行う画像処理ステップと、
前記画像処理が行われる前又は後のファイルを、前記アイコン画像を用いて前記表示手段に表示させる表示ステップと、
ユーザーによって指定された画像処理に基づいて、前記表示手段において表示されている前記アイコン画像を加工するアイコン加工ステップと、
を実行させることを特徴とするプログラム。
【請求項１１】
前記表示ステップは、前記画像処理が行われる前のファイルに対応する前記アイコン画像、及び、前記画像処理が行われた後のファイルに対応する前記アイコン画像を、前記表示手段に表示させ、
前記アイコン加工ステップは、前記画像処理が行われた後のファイルに対応する前記アイコン画像を加工することを特徴とする請求項１０に記載のプログラム。
【請求項１２】
前記アイコン画像は、ファイルのファイル形式に対応するビットマップ画像であることを特徴とする請求項１０又は１１に記載のプログラム。
【請求項１３】
前記アイコン加工ステップは、ユーザーによって指定された画像処理を強調するように前記アイコン画像を加工することを特徴とする請求項１０乃至１２のいずれかに記載のプログラム。
【請求項１４】
前記画像処理装置に、
前記画像処理ステップによる画像処理で生成されるファイルを前記リモート端末へ出力するファイル出力ステップ、
を更に実行させ、
前記ファイル出力ステップは、前記リモート端末へファイルを出力するとき、前記アイコン加工ステップにおいて加工された前記アイコン画像を前記リモート端末へ送信することを特徴とする請求項１０乃至１３のいずれかに記載のプログラム。
【請求項１５】
前記アイコン加工ステップは、ユーザーによって画像処理が指定されたタイミングで前記アイコン画像を加工することを特徴とする請求項１０乃至１４のいずれかに記載のプログラム。
【請求項１６】
前記アイコン加工ステップは、前記画像処理ステップによる画像処理が行われる前に前記アイコン画像を加工することを特徴とする請求項１０乃至１５のいずれかに記載のプログラム。
【請求項１７】
前記画像処理装置に、
前記アイコン加工ステップで加工された前記アイコン画像を前記リモート端末と関連付けて所定の記憶手段に記憶させた状態で管理するアイコン管理ステップ、
を更に実行させることを特徴とする請求項１０乃至１６のいずれかに記載のプログラム。
【発明の詳細な説明】
【技術分野】
【０００１】
本発明は、画像処理装置及びプログラムに関し、特にリモート端末と連携動作可能な画像処理装置に関する。
【背景技術】
【０００２】
従来、ファイルに応じたアイコン表示を行う情報処理装置において、記憶されているファイルが変換されていると判断されると、当該変換前のファイル属性を取得し、当該変換前のファイル属性に応じたアイコン画像を作成して表示するものが知られている（例えば特許文献１）。この従来技術によれば、例えばｚｉｐ圧縮などでファイルが変換された場合に、元のファイルのファイル形式に対応するアイコン画像に、圧縮変換が行われたことを示す画像を重ね合わせた新たなアイコン画像が生成されるため、圧縮前の元のファイルがどのようなファイル形式であったかをアイコン画像で示すことができる。
【０００３】
一方、ＭＦＰ（Multifunction Peripherals）などのような画像処理装置は、携帯端末などのリモート端末と通信を行い、リモート端末からファイルを取得して画像処理を行うことが可能である。画像処理装置において行われる画像処理には様々な処理が存在する。一例を挙げると、画像処理装置は、濃度変換や解像度変換、カラー画像からモノクロ画像への変換、スタンプ付与などの画像処理を行うことができる。
【０００４】
上記のような画像処理装置は、ファイルに対して行うべき画像処理が指定されると、ユーザーが操作する操作パネルに、画像処理の対象となる処理前のファイルのアイコン画像と、画像処理後に生成されるファイルに対応するアイコン画像とを表示し、画像処理によってファイルがどのように変換されるかをユーザーに示すようにしている。このとき、画像処理装置は、自機で保存している各種のファイル形式に対応した複数のアイコン画像の中から、処理前のファイルのファイル形式に対応するアイコン画像と、画像処理後に生成されるファイルのファイル形式に対応するアイコン画像と読み出して表示する。
【０００５】
しかし、画像処理装置に保存されているアイコン画像は、ユーザーが普段から使い慣れているリモート端末で表示されるアイコン画像とはルックアンドフィールが異なるのが一般的である。そのため、画像処理装置が、画像処理前後のファイルに対応するアイコン画像を自機で保存しているアイコン画像を用いて表示すると、ユーザーに違和感を抱かせてしまうことになる。
【０００６】
これを防止するためには、画像処理装置の操作パネルに表示するアイコン画像を、リモート端末で表示されるアイコン画像に統一させることが望まれる。ところが、画像処理装置は、仮にリモート端末から画像処理前のファイルに対応するアイコン画像を取得できたとしても、画像処理によって生成されるファイルがどのようなファイルであるのかを事前に把握することができない。そのため、画像処理装置は、画像処理後に生成されるファイルに対応するアイコン画像をリモート端末から取得して事前に表示することができず、画像処理によってファイルがどのように変換されるかをユーザーに提示することができないという問題がある。
【先行技術文献】
【特許文献】
【０００７】
【特許文献１】特開平９−１９０３３０号公報
【発明の概要】
【発明が解決しようとする課題】
【０００８】
本発明は、上述した従来の問題点を解決するためになされたものであり、リモート端末で表示されるアイコン画像のルックアンドフィールに合わせつつ、画像処理によってファイルがどのように変換されるかをアイコン画像でユーザーに提示できるようにした画像処理装置及びプログラムを提供することを目的とする。
【課題を解決するための手段】
【０００９】
上記目的を達成するため、請求項１に係る発明は、リモート端末と通信を行って画像処理を行うことが可能な画像処理装置であって、表示手段と、前記リモート端末と通信を行い、前記リモート端末において保持されているファイルのアイコン画像を取得するアイコン取得手段と、画像処理の対象となるファイルを取得するファイル取得手段と、前記ファイル取得手段によって取得されるファイルに対し、ユーザーによって指定された画像処理を行う画像処理手段と、前記画像処理が行われる前又は後のファイルを、前記アイコン画像を用いて前記表示手段に表示させる表示制御手段と、ユーザーによって指定された画像処理に基づいて、前記表示手段において表示されている前記アイコン画像を加工するアイコン加工手段と、を備えることを特徴とする構成である。
【００１０】
請求項２に係る発明は、請求項１に記載の画像処理装置において、前記ファイル取得手段は、前記リモート端末から画像処理の対象となるファイルを取得することを特徴とする構成である。
【００１１】
請求項３に係る発明は、請求項１又は２に記載の画像処理装置において、前記表示制御手段は、前記画像処理が行われる前のファイルに対応する前記アイコン画像、及び、前記画像処理が行われた後のファイルに対応する前記アイコン画像を、前記表示手段に表示させ、前記アイコン加工手段は、前記画像処理が行われた後のファイルに対応する前記アイコン画像を加工することを特徴とする構成である。
【００１２】
請求項４に係る発明は、請求項１乃至３のいずれかに記載の画像処理装置において、前記アイコン画像は、ファイルのファイル形式に対応するビットマップ画像であることを特徴とする構成である。
【００１３】
請求項５に係る発明は、請求項１乃至４のいずれかに記載の画像処理装置において、前記アイコン加工手段は、ユーザーによって指定された画像処理を強調するように前記アイコン画像を加工することを特徴とする構成である。
【００１４】
請求項６に係る発明は、請求項１乃至５のいずれかに記載の画像処理装置において、前記画像処理手段による画像処理で生成されるファイルを前記リモート端末へ出力するファイル出力手段、を更に備え、前記ファイル出力手段は、前記リモート端末へファイルを出力するとき、前記アイコン加工手段において加工された前記アイコン画像を前記リモート端末へ送信することを特徴とする構成である。
【００１５】
請求項７に係る発明は、請求項１乃至６のいずれかに記載の画像処理装置において、前記アイコン加工手段は、ユーザーによって画像処理が指定されたタイミングで前記アイコン画像を加工することを特徴とする構成である。
【００１６】
請求項８に係る発明は、請求項１乃至７のいずれかに記載の画像処理装置において、前記アイコン加工手段は、前記画像処理手段による画像処理が行われる前に前記アイコン画像を加工することを特徴とする構成である。
【００１７】
請求項９に係る発明は、請求項１乃至８のいずれかに記載の画像処理装置において、前記アイコン加工手段で加工された前記アイコン画像を前記リモート端末と関連付けて所定の記憶手段に記憶させた状態で管理するアイコン管理手段、を更に備えることを特徴とする構成である。
【００１８】
請求項１０に係る発明は、画像を表示可能な表示手段を有する画像処理装置において実行されるプログラムであって、前記画像処理装置に、リモート端末と通信を行い、前記リモート端末において保持されているファイルのアイコン画像を取得するアイコン取得ステップと、画像処理の対象となるファイルを取得するファイル取得ステップと、前記ファイル取得ステップによって取得されるファイルに対し、ユーザーによって指定された画像処理を行う画像処理ステップと、前記画像処理が行われる前又は後のファイルを、前記アイコン画像を用いて前記表示手段に表示させる表示ステップと、ユーザーによって指定された画像処理に基づいて、前記表示手段において表示されている前記アイコン画像を加工するアイコン加工ステップと、を実行させることを特徴とする構成である。
【００１９】
請求項１１に係る発明は、請求項１０に記載のプログラムにおいて、前記表示ステップは、前記画像処理が行われる前のファイルに対応する前記アイコン画像、及び、前記画像処理が行われた後のファイルに対応する前記アイコン画像を、前記表示手段に表示させ、前記アイコン加工ステップは、前記画像処理が行われた後のファイルに対応する前記アイコン画像を加工することを特徴とする構成である。
【００２０】
請求項１２に係る発明は、請求項１０又は１１のいずれかに記載のプログラムにおいて、前記アイコン画像は、ファイルのファイル形式に対応するビットマップ画像であることを特徴とする構成である。
【００２１】
請求項１３に係る発明は、請求項１０乃至１２のいずれかに記載のプログラムにおいて、前記アイコン加工ステップは、ユーザーによって指定された画像処理を強調するように前記アイコン画像を加工することを特徴とする構成である。
【００２２】
請求項１４に係る発明は、請求項１０乃至１３のいずれかに記載のプログラムにおいて、前記画像処理装置に、前記画像処理ステップによる画像処理で生成されるファイルを前記リモート端末へ出力するファイル出力ステップ、を更に実行させ、前記ファイル出力ステップは、前記リモート端末へファイルを出力するとき、前記アイコン加工ステップにおいて加工された前記アイコン画像を前記リモート端末へ送信することを特徴とする構成である。
【００２３】
請求項１５に係る発明は、請求項１０乃至１４のいずれかに記載のプログラムにおいて、前記アイコン加工ステップは、ユーザーによって画像処理が指定されたタイミングで前記アイコン画像を加工することを特徴とする構成である。
【００２４】
請求項１６に係る発明は、請求項１０乃至１５のいずれかに記載のプログラムにおいて、前記アイコン加工ステップは、前記画像処理ステップによる画像処理が行われる前に前記アイコン画像を加工することを特徴とする構成である。
【００２５】
請求項１７に係る発明は、請求項１０乃至１６のいずれかに記載のプログラムにおいて、前記画像処理装置に、前記アイコン加工ステップで加工された前記アイコン画像を前記リモート端末と関連付けて所定の記憶手段に記憶させた状態で管理するアイコン管理ステップ、を更に実行させることを特徴とする構成である。
【発明の効果】
【００２６】
本発明によれば、リモート端末で表示されるアイコン画像のルックアンドフィールに合わせつつ、画像処理によってファイルがどのように変換されるかをアイコン画像でユーザーに提示することができるようになる。
【図面の簡単な説明】
【００２７】
【図１】画像処理システムの一構成例を示す図である。
【図２】画像処理装置のハードウェア構成の一例を示すブロック図である。
【図３】制御部の機能構成を示すブロック図である。
【図４】第１実施形態において画像処理装置とリモート端末とが互いに連携する動作の一例を示す図である。
【図５】画像処理装置において表示される設定画面の一例を示す図である。
【図６】ユーザーによって濃度変換が指定される場合の画面例を示す図である。
【図７】アイコン画像が変化する例を示す図である。
【図８】アイコン画像が順次変化していく例を示す図である。
【図９】画像処理装置で行われる処理手順の一例を示すフローチャートである。
【図１０】第２実施形態において画像処理装置とリモート端末とが互いに連携する動作の一例を示す図である。
【図１１】ユーザーがファイル変換を指定する画面例を示す図である。
【図１２】第３実施形態において画像処理装置とリモート端末とが互いに連携する動作の一例を示す図である。
【発明を実施するための形態】
【００２８】
以下、本発明に関する好ましい実施形態について図面を参照しつつ詳細に説明する。尚、以下に説明する実施形態において互いに共通する部材には同一符号を付しており、それらについての重複する説明は省略する。
【００２９】
図１は、本発明の好ましい一実施形態である画像処理システムの構成例を示す図である。この画像処理システムは、ＭＦＰなどで構成される画像処理装置１と、リモート端末２とが互いに通信を行うことができる構成である。リモート端末２は、例えばユーザーが所持するスマートフォンやタブレット端末、パーソナルコンピュータ（ＰＣ）などで構成され、画像処理装置１と近距離無線通信などによる無線通信を行うことが可能である。ただし、これに限られるものではなく、リモート端末２は、ＬＡＮ（Local Area Network）などのネットワーク５を介して画像処理装置１と通信を行うものであっても構わない。
【００３０】
画像処理装置１は、複数のユーザーが共有して利用する装置である。この画像処理装置１は、コピー機能やスキャン機能、プリント機能の他、様々な画像処理を行う機能を有している。画像処理装置１に搭載された画像処理機能は、コピー機能やスキャン機能、プリント機能と連動して画像処理を行うことができると共に、コピー機能やスキャン機能、プリント機能と連動することなく画像処理を単独で行うこともできる。例えば画像処理装置１は、ユーザーによって指定されたファイルに対し、複数の画像処理のうちからユーザーによって指定された画像処理を実行する。これら複数の画像処理には、例えば画像の濃度を変換する濃度変換、画像の解像度を変換する解像度変換、カラー画像をモノクロ画像に変換するモノクロ変換、画像の所定位置に対してスタンプを付与するスタンプ付与、画像の所定位置に対してウォーターマークを付与するウォーターマーク付与などの画像処理が含まれる。
【００３１】
また上記の他、画像処理装置１で実行可能な画像処理には、ファイルのファイル形式を変換するファイル変換も含まれる。ユーザーによってファイル形式を変換する画像処理が指定されると、画像処理装置１は、画像処理の対象となる処理前のファイルのファイル形式を変換し、処理前とは異なるファイル形式のファイルを生成する。例えば画像処理装置１で行われるファイル変換では、ＰＤＦファイルからＴＥＸＴファイルやＤＯＣファイルを生成することも可能である。
【００３２】
画像処理装置１は、リモート端末２から画像処理の対象となるファイルを取得して画像処理を行うことができる。つまり、画像処理装置１は、リモート端末２と通信を行うことにより、リモート端末２と連携動作を行うことが可能であり、画像処理の対象となるファイルをリモート端末２から取得した後、そのファイルに対して画像処理を行うことが可能である。またこの他にも、画像処理装置１は、自機に保存されているファイルを読み出して画像処理を行うことも可能である。
【００３３】
画像処理装置１は、ユーザーインタフェースとなる操作パネル１２を備えており、リモート端末２と連携した動作を行う際にユーザーによる設定操作を受け付けるための画面を操作パネル１２に表示する。すなわち、画像処理装置１は、リモート端末２と通信を行い、リモート端末２に格納されているファイルの一覧を操作パネル１２に表示し、ユーザーによるファイルの選択操作を受け付ける。ユーザーによってリモート端末２に保存されているファイルが画像処理の対象として指定されると、画像処理装置１は、リモート端末２からユーザーによって指定されたファイルを取得する。このとき、画像処理装置１は、リモート端末２からアイコン画像を取得し、画像処理が行われる前又は後のファイルを、リモート端末２から取得したアイコン画像データを用いて操作パネル１２に表示する。これにより、ユーザーは、普段から使用しているリモート端末２と同じアイコン画像でファイルを確認することができるようになる。
【００３４】
その後、画像処理装置１は、ユーザーによる画像処理の指定操作を受け付ける。すなわち、上述した複数の画像処理のうちから少なくとも１つの画像処理を指定する操作を受け付ける。このとき、ユーザーは、画像処理の対象として指定したファイルに対して２以上の画像処理を順に実行することを指定することもできる。そしてユーザーによって画像処理が指定されると、画像処理装置１は、操作パネル１２に表示しているアイコン画像に対してユーザーによって指定された画像処理と同じ画像処理を施すことによりアイコン画像を加工する。つまり、操作パネル１２に表示されているファイルのアイコン画像は、ファイルに対する画像処理が指定されることにより、その指定された画像処理と同様の画像処理が施された状態に更新されるのである。これにより、ユーザーは、自身が指定した画像処理によってどのような画像処理が行われるかを視覚的に把握することができるようになる。以下、このような画像処理装置１について更に詳しく説明する。
【００３５】
図２は、画像処理装置１のハードウェア構成の一例を示すブロック図である。図２に示すように、画像処理装置１は、制御部１０と、記憶部１１と、操作パネル１２と、無線通信インタフェース１３と、ネットワークインタフェース１４と、プリンタ部１５と、スキャナ部１６と、ＦＡＸ部１７とを備えている。
【００３６】
制御部１０は、ＣＰＵ１０ａとメモリ１０ｂとを備えている。ＣＰＵ１０ａは、記憶部１１に記憶されているプログラム７を読み出して実行するハードウェアプロセッサである。メモリ１０ｂは、ＣＰＵ１０ａがプログラム７に基づく処理を行っているときに発生する一時的なデータなどを記憶するためのものであり、例えば半導体メモリなどで構成される。ＣＰＵ１０ａがプログラム７を実行することにより、制御部１０は、後述する各種処理部として機能し、各部の動作を制御する。
【００３７】
記憶部１１は、例えばハードディスクドライブ（ＨＤＤ）などで構成される不揮発性の記憶デバイスである。記憶部１１には、制御部１０のＣＰＵ１０ａで実行されるプログラム７が予め記憶される。また記憶部１１には、ファイル記憶部９が設けられている。ファイル記憶部９は、ユーザーによって指定されたファイルを記憶しておくための記憶領域であり、例えば画像処理の対象となる処理前のファイルや、画像処理によって生成された処理後のファイルなどを記憶することができる。
【００３８】
操作パネル１２は、表示部１２ａと操作部１２ｂとを備えている。表示部１２ａは、例えばカラー液晶ディスプレイなどで構成され、ユーザーが操作可能な各種画面を表示する。操作部１２ｂは、例えば表示部１２ａの表示画面上に配置されるタッチパネルセンサーなどで構成され、ユーザーによる操作を受け付ける。
【００３９】
無線通信インタフェース１３は、リモート端末２との無線による通信状態を確立し、リモート端末２と無線通信を行うためのものである。この無線通信インタフェース１３は、例えば複数のリモート端末２と同時に通信状態を確立させることも可能である。
【００４０】
ネットワークインタフェース１４は、画像処理装置１をＬＡＮなどのネットワークに接続するためのものである。例えば制御部１０は、ネットワークインタフェース１４を介してリモート端末２と通信を行うことも可能である。
【００４１】
プリンタ部１５は、入力する画像データに基づいてプリント出力を行うものである。スキャナ部１６は、ユーザーによってセットされた原稿を光学的に読み取って画像データを生成するものである。ＦＡＸ部１７は、図示を省略する公衆電話回線を介してＦＡＸデータの送受信を行うものである。
【００４２】
次に制御部１０の機能構成について説明する。図３は、制御部１０の機能構成を示すブロック図である。ＣＰＵ１０ａがプログラム７を実行することにより、制御部１０は、図３に示すようにリモート端末２と連携するアプリケーション２０を機能させる。このアプリケーション２０は、例えば無線通信インタフェース１３を監視しており、リモート端末２からの通信要求を受信すると、リモート端末２との通信状態を確立させる。リモート端末２との通信状態を確立させると、制御部１０は、表示情報取得部２１、表示制御部２３、ファイル取得部２５、画像処理部２６、ファイル出力部２８、及び、アイコン管理部２９のそれぞれを機能させ、リモート端末２との連携動作を開始する。尚、リモート端末２との通信は、必ずしも無線によるものに限られず、ＬＡＮなどのネットワークを介したものであっても構わない。
【００４３】
表示情報取得部２１は、通信相手のリモート端末２から操作パネル１２の表示部１２ａに表示するための情報を取得するものである。例えば表示情報取得部２１は、リモート端末２で表示されている画面の画面情報を取得する。表示情報取得部２１は、リモート端末２から画面情報を取得すると、その画面情報を表示制御部２３へ出力する。この表示情報取得部２１は、アイコン取得部２２を有している。
【００４４】
アイコン取得部２２は、通信相手のリモート端末２が保持しているファイルのアイコン画像を、リモート端末２から取得するものである。例えばファイル取得部２５によってリモート端末２から画像処理の対象となるファイルが取得されるとき、アイコン取得部２２は、そのファイルに対応するアイコン画像をリモート端末２から取得する。アイコン取得部２２は、リモート端末２からアイコン画像を取得すると、そのアイコン画像を表示制御部２３へ出力する。またアイコン取得部２２は、リモート端末２から取得したアイコン画像を、画像処理部２６に設けられるアイコン加工部２７に対しても出力する。
【００４５】
またアイコン取得部２２は、リモート端末２からファイルを取得するタイミングでアイコン画像を取得するものに限られない。例えばアイコン取得部２２は、リモート端末２との通信状態が確立されたときに、リモート端末２において保持されている全てのファイル形式に対応する複数のアイコン画像を取得するようにしても良い。
【００４６】
表示制御部２３は、操作パネル１２の表示部１２ａにおいて表示する画像を制御するものである。例えば画像処理装置１とリモート端末２との連携動作が開始されると、表示制御部２３は、ユーザーによる設定操作を受け付けるための設定画面を表示部１２ａに表示させる。この設定画面は、例えば３つの表示領域に分割された画面である。そして表示制御部２３は、設定画面の１つの表示領域に、表示情報取得部２１によって取得された画面情報に基づくリモート端末２の表示画面を表示させる。また表示制御部２３は、設定画面の別の１つの表示領域に、複数の画像処理のうちからユーザーが所望する画像処理を指定するための操作画面を表示させる。さらに表示制御部２３は、残りの１つの表示領域に、画像処理前のファイルに対応するアイコン画像と、画像処理後のファイルに対応するアイコン画像とを表示させる。例えば表示制御部２３は、画像処理前のファイルを、アイコン取得部２２から直接得られるアイコン画像を用いて表示する。また表示制御部２３は、画像処理後のファイルを、アイコン加工部２７を介して得られるアイコン画像を用いて表示する。
【００４７】
ファイル取得部２５は、操作部１２ｂに対して行われるユーザーの操作に基づき、画像処理の対象としてユーザーによって指定されたファイルを特定し、その特定したファイルを取得する処理部である。例えば、設定画面の１つの表示領域に表示されているリモート端末２の表示画面がファイル一覧画面であった場合、ファイル取得部２５は、その領域に対するユーザーの操作に基づきファイル一覧において表示されている複数のファイルのうちから一のファイルを画像処理の対象として特定する。そしてファイル取得部２５は、リモート端末２に対してファイルリクエストを送信し、リモート端末２から画像処理の対象となるファイルを取得する。ファイル取得部２５は、ユーザーによって指定されたファイルを取得すると、そのファイルを画像処理部２６へ出力する。尚、ファイル取得部２５は、画像処理の対象となるファイルをリモート端末２から取得するだけでなく、記憶部１１から取得することも可能である。
【００４８】
画像処理部２６は、ファイル取得部２５によって取得されたファイルに対して各種の画像処理を行うものである。画像処理部２６は、上述した複数の画像処理を行うことが可能である。例えば画像処理部２６は、複数の画像処理のうちからユーザーによる画像処理の指定操作を受け付ける。ユーザーが少なくとも１つの画像処理を指定した状態で更にスタートキーを押下して画像処理の実行開始を指示すると、画像処理部２６は、ファイル取得部２５によって取得されたファイルに対し、ユーザーによって指定された画像処理を実行する。またユーザーは、ファイルに対して行うべき画像処理として２以上の画像処理を指定することも可能である。この場合、画像処理部２６は、ユーザーによってスタートキーが押下されると、ユーザーによって指定された順序で２以上の画像処理をひとつずつ実行する。
【００４９】
また画像処理部２６は、アイコン加工部２７を有している。アイコン加工部２７は、画像処理部２６で行われる画像処理と同様の画像処理をアイコン画像に対して行うことにより、アイコン画像を加工する処理部である。アイコン画像は、ファイルがどのようなファイル形式であるかを示すためのグラフィカルなビットマップ画像である。そのため、上述した濃度変換、解像度変換、モノクロ変換、スタンプ付与、ウォーターマーク付与などの各種画像処理をアイコン画像に対して行うことができる。アイコン加工部２７は、ファイル取得部２５によって取得されたファイルに対する画像処理がユーザーによって指定されたタイミングでアイコン画像に対する画像処理を実行し、アイコン画像を加工する。そしてアイコン加工部２７は、加工後のアイコン画像を表示制御部２３へ出力する。またアイコン加工部２７は、ユーザーによって画像処理が指定されていない状態のときには、アイコン画像の加工処理を行わず、アイコン取得部２２から得られるアイコン画像をそのまま表示制御部２３へ出力する。したがって、アイコン加工部２７から表示制御部２３へ出力されるアイコン画像は、ファイルに対して行うべき画像処理がユーザーによって指定されたタイミングで更新されることになる。
【００５０】
表示制御部２３は、上述したようにアイコン加工部２７から出力されるアイコン画像を用いて画像処理後のファイルを表示部１２ａに表示する。そのため、ユーザーがファイルに対して行うべき画像処理を指定すると、表示部１２ａにおいて表示される画像処理後のファイルを示すアイコン画像がその画像処理を行った状態のアイコン画像に更新される。この更新は、ユーザーがスターキーを押下する前、すなわちファイルに対する画像処理が開始される前に行われる。したがって、ユーザーは、ファイルに対する画像処理を指定することによって変化するアイコン画像を視認すれば、その指定した画像処理でファイルがどのように変化するかを把握することができるようになる。特に表示部１２ａに表示されるアイコン画像はユーザーが普段から見慣れているアイコン画像であるため、その変化に気付きやすいという利点がある。
【００５１】
ファイル出力部２８は、画像処理部２６においてファイルに対する画像処理が行われた後に機能し、ユーザーによって指定された出力先に画像処理後のファイルを出力する処理部である。例えば画像処理後のファイルの出力先としてリモート端末２が指定された場合、ファイル出力部２８は、無線通信インタフェース１３又はネットワークインタフェース１４を介して画像処理後のファイルをリモート端末２へ送信する。また画像処理後のファイルの出力先としてリモート端末２とは異なる装置が指定された場合、ファイル出力部２８は、無線通信インタフェース１３又はネットワークインタフェース１４を介して画像処理後のファイルを別の装置へ送信する。さらに画像処理後のファイルの出力先として記憶部１１のファイル記憶部９が指定された場合、ファイル出力部２８は、画像処理後のファイルを記憶部１１のファイル記憶部９へ出力して保存する。
【００５２】
アイコン管理部２９は、アイコン加工部２７から出力されるアイコン画像をリモート端末２と関連付けて記憶部１１に保存しておくことでアイコン画像を管理する処理部である。例えばアイコン管理部２９は、アイコン加工部２７によってアイコン画像が加工された場合に、その加工後のアイコン画像を記憶部１１に保存する。このとき、アイコン管理部２９は、アイコン画像に対して、リモート端末２を識別するための識別情報と、ファイルのファイル形式を特定するためのファイル情報と、アイコン画像に対して行った画像処理を特定するための画像処理情報とを付加して記憶部１１に保存する。これにより、画像処理装置１は、その後に同一のリモート端末２と通信状態を確立させたときには記憶部１１に保存しているアイコン画像を用いることが可能であり、アイコン加工部２７において以前と同じ加工処理を行う必要がなくなるという利点がある。
【００５３】
図４は、画像処理装置１とリモート端末２とが互いに連携する動作の一例を示す図である。まずリモート端末２において画像処理装置１と連携するアプリケーションが起動されると、リモート端末２が画像処理装置１に対して通信要求を送信し、画像処理装置１との通信状態を確立させる（プロセスＰ１）。これに伴い、画像処理装置１もリモート端末２との通信状態を確立させる（プロセスＰ２）。
【００５４】
画像処理装置１は、リモート端末２との通信状態を確立させると、表示情報取得部２１を機能させ、リモート端末２に画面リクエストを送信し（プロセスＰ３）、リモート端末２において表示されている表示画面の画面情報を取得する（プロセスＰ４）。
【００５５】
次に画像処理装置１は、表示制御部２３を機能させ、操作パネル１２の表示部１２ａに、リモート端末２と連携して行う画像処理を設定するための設定画面を表示する（プロセスＰ５）。
【００５６】
図５は、画像処理装置１において表示される設定画面の一例を示す図である。図５に示すように設定画面は、３つの表示領域Ｒ１，Ｒ２，Ｒ３を有している。表示領域Ｒ１は、リモート端末２から取得した画面情報に基づく画面を表示する領域であり、図５の例ではリモート端末２において保持されているファイルのファイル一覧を表示している。ユーザーは、このファイル一覧画面に表示されているファイルの中から画像処理の対象となる一つのファイルを指定することができる。表示領域Ｒ２は、画像処理装置１において実行可能な複数の画像処理のうちからユーザーが所望の画像処理を選択することが可能な操作画面を表示している。例えば表示領域Ｒ２には、濃度変換ボタン３１と、解像度変換ボタン３２と、モノクロ変換ボタン３３と、スタンプ付与ボタン３４と、ウォーターマークボタン３５とが表示される。ユーザーは、これら複数のボタン３１〜３５のうちから一つのボタンを選択して操作することにより、ファイルに対して行う画像処理を指定することができる。
【００５７】
またユーザーは、表示領域Ｒ１に表示されているファイルのアイコン画像を、表示領域Ｒ２に表示されている複数のボタン３１〜３５のうちのいずれか一つのボタンに対してドラッグアンドドロップ操作を行うようにしても良い。この場合、ユーザーは、ファイルの選択操作と画像処理の選択操作とを一連の操作として行うことができる。
【００５８】
表示領域Ｒ３は、ユーザーによって指定されたファイルであって画像処理前のファイルに対応するアイコン画像３８と、画像処理後のファイルに対応するアイコン画像３９とを表示し、画像処理によってファイルがどのように変換されるかをユーザーに示す表示領域である。例えばユーザーによって画像処理の対象となるファイルが指定されていないときには、表示領域Ｒ３においてアイコン画像３８，３９が表示されない。そしてユーザーによって画像処理の対象となるファイルが指定されると、表示領域Ｒ３において画像処理前のファイルに対応するアイコン画像３８と、画像処理後のファイルに対応するアイコン画像３９とが表示される。ただし、ユーザーによって画像処理が指定されていないときには、２つのアイコン画像３８，３９は同じ画像となる。そして更にユーザーによって画像処理が指定されると、その指定された画像処理に応じてアイコン画像３９が加工される。そのため、表示領域Ｒ３において表示されるアイコン画像３９がユーザーによって指定された画像処理を反映させた画像に更新される。
【００５９】
図４に戻り、プロセスＰ５において、操作パネル１２の表示部１２ａに設定画面が表示されるときには、表示領域Ｒ３にアイコン画像３８，３９が表示されない状態となる。そして画像処理装置１は、設定画面を操作パネル１２に表示した後、ユーザーによるファイルの選択操作を受け付ける（プロセスＰ６）。ユーザーによるファイルの選択操作が行われると、制御部１０においてファイル取得部２５が機能する。そしてファイル取得部２５は、リモート端末２に対して、ファイルを指定したファイルリクエストを送信する（プロセスＰ７）。このファイルリクエストには、指定したファイルに対応するアイコン画像を要求するアイコンリクエストが含まれる。そのため、画像処理装置１は、リモート端末２から画像処理の対象となるファイルと、そのファイルに対応するアイコン画像とを取得することができる（プロセスＰ８）。ファイル取得部２５は、リモート端末２からファイルと共にアイコン画像を取得すると、そのアイコン画像を表示制御部２３へ出力する。そして表示制御部２３は、リモート端末２から取得したアイコン画像を用いて表示領域Ｒ３にアイコン画像３８，３９を表示する（プロセスＰ９）。このとき、表示領域Ｒ３に表示される画像処理前のファイルを示すアイコン画像３８及び画像処理後のファイルを示すアイコン画像３９は同じアイコン画像となる。
【００６０】
次に画像処理装置１は、ユーザーによる画像処理の指定操作を受け付ける（プロセスＰ１０）。図６は、ユーザーによって濃度変換が指定される場合の画面例を示す図である。ユーザーが濃度変換ボタン３１を操作すると、図６に示すように、設定画面上に濃度変換の詳細設定を行うためのサブ画面３７が表示される。ユーザーは、サブ画面３７において画像の濃度を段階的に濃くしたり薄くしたりすることができる。尚、ユーザーが濃度変換以外の他の画像処理を指定した場合も同様にサブ画面３７が表示され、ユーザーは指定した画像処理に関する詳細設定をサブ画面３７に対して行うことができる。
【００６１】
画像処理装置１は、ユーザーによって画像処理が指定されると、アイコン加工部２７を機能させる。そしてアイコン加工部２７は、アイコン取得部２２によって取得されたアイコン画像に対し、ユーザーによって指定された画像処理を実行することによりアイコン画像を加工する（プロセスＰ１１）。このとき、アイコン加工部２７は、ユーザーによって指定された画像処理を強調してアイコン画像に対する画像処理を行うことが好ましい。なぜなら、アイコン画像は一般にサイズの小さな矩形状の画像であるため、アイコン画像に微細な画像処理が施されたとしてもユーザーが画像処理前後の変化を認識できるとは限らないからである。そのため、例えばユーザーによって画像の濃度を１段階濃くする濃度変換が指定された場合、アイコン加工部２７は、アイコン画像の濃度を３段階濃くする画像処理を行う。またユーザーによって画像の濃度を１段階薄くする濃度変換が指定された場合、アイコン加工部２７は、アイコン画像の濃度を３段階薄くする画像処理を行う。尚、濃度変換以外の画像処理が指定された場合も同様である。すなわち、アイコン加工部２７は、例えばユーザーによって指定される画像処理の設定値を所定倍することにより、アイコン画像に対する画像処理を強調する。その結果、ユーザーは、画像処理の前と後とでアイコン画像の変化を簡単に認識することができるようになり、自身が指定した画像処理でファイルがどのように変化するかをアイコン画像の変化で把握することができる。
【００６２】
図７は、表示領域Ｒ３に表示されるアイコン画像３９が変化する例を示す図である。図７（ａ）は、ユーザーによって画像の濃度を濃くする濃度変換が指定された場合を例示している。画像の濃度を濃くする濃度変換が指定されると、アイコン加工部２７は、画像処理後のファイルを示すアイコン画像３９に対し、濃度を濃くする画像処理を行う。このとき、アイコン加工部２７は、上述したようにユーザーによって指定された濃度値よりも更に濃い濃度値となるように画像処理を行う。その結果、図７（ａ）に示すように、画像処理後のファイルを示すアイコン画像３９は、画像処理前のファイルを示すアイコン画像３８よりも濃度の濃い画像に変化する。
【００６３】
図７（ｂ）は、ユーザーによって画像の濃度を薄くする濃度変換が指定された場合を例示している。画像の濃度を薄くする濃度変換が指定されると、アイコン加工部２７は、画像処理後のファイルを示すアイコン画像３９に対し、濃度を薄くする画像処理を行う。このとき、アイコン加工部２７は、上述したようにユーザーによって指定された濃度値よりも更に薄い濃度値となるように画像処理を行う。その結果、図７（ｂ）に示すように、画像処理後のファイルを示すアイコン画像３９は、画像処理前のファイルを示すアイコン画像３８よりも濃度の薄い画像に変化する。
【００６４】
図７（ｃ）は、ユーザーによって画像の解像度を低下させる解像度変換が指定された場合を例示している。画像の解像度を低下させる解像度変換が指定されると、アイコン加工部２７は、画像処理後のファイルを示すアイコン画像３９に対し、解像度を低くする画像処理を行う。このとき、アイコン加工部２７は、上述したようにユーザーによって指定された解像度よりも更に低い解像度となるように画像処理を行う。その結果、図７（ｃ）に示すように、画像処理後のファイルを示すアイコン画像３９は、画像処理前のファイルを示すアイコン画像３８よりも解像度が低下した画像に変化する。
【００６５】
図７（ｄ）は、ユーザーによってスタンプを付与する画像処理が指定された場合を例示している。スタンプを付与する画像処理が指定されると、アイコン加工部２７は、画像処理後のファイルを示すアイコン画像３９の所定位置に対してユーザーによって指定されたスタンプ画像を付与する画像処理を行う。このとき、アイコン加工部２７は、実際にファイルに付与するスタンプ画像を縮小し、ファイルに対して付与される位置と同じ位置に縮小したスタンプ画像を付与する。その結果、図７（ｄ）に示すように、画像処理後のファイルを示すアイコン画像３９は、ファイルに対してスタンプが付与される位置と同じ位置にスタンプ画像が付与された画像に変化する。
【００６６】
図７（ｅ）は、ユーザーによってウォーターマークを付与する画像処理が指定された場合を例示している。ウォーターマークを付与する画像処理が指定されると、アイコン加工部２７は、画像処理後のファイルを示すアイコン画像３９に対してユーザーによって指定されたウォーターマークを付与する画像処理を行う。ウォーターマークは、ドキュメントの一部又は全体に対して透かしとして付与される画像又は文字列であり、ドキュメントの視認性を低下させないように薄い濃度で付与される。ところが、アイコン画像３９に対して薄い濃度のウォーターマークを付与した場合には、ユーザーがアイコン画像３９に付与されたウォーターマークを認識できない可能性がある。そのため、アイコン加工部２７は、アイコン画像３９にウォーターマークを付与するときには、ユーザーが視認できるようにウォーターマークの濃度を濃くすることが好ましい。またアイコン加工部２７は、実際にファイルに付与するウォーターマークを縮小し、ファイルに対して付与される位置と同じ位置に縮小したウォーターマークを付与する。その結果、図７（ｄ）に示すように、画像処理後のファイルを示すアイコン画像３９は、ファイルに対してウォーターマークが付与される位置と同じ位置にユーザーが視認可能なウォーターマークが付与された画像に変化する。
【００６７】
またユーザーは一つのファイルに対して複数の画像処理を順に行うことを指定することもある。この場合、アイコン加工部２７は、ユーザーによって画像処理が指定される都度、アイコン画像３９に対する画像処理を実行する。図８は、アイコン画像３９に対する画像処理が繰り返し行われる場合を例示する図である。はじめにユーザーによって画像の濃度を１段階濃くする濃度変換が指定されると、アイコン加工部２７は、画像処理後のファイルを示すアイコン画像３９の濃度を濃くする。続いてユーザーによって画像の解像度を１段階低くする解像度変換が指定されると、アイコン加工部２７は、濃度が濃く変換された後のアイコン画像３９に対して解像度を低下させる画像処理を行う。つまり、濃度が濃い状態のままでアイコン画像３９の解像度が低下することになる。続いてユーザーによってウォーターマークを付与する画像処理が指定されると、アイコン加工部２７は、解像度が低くなったアイコン画像３９に対してユーザーによって指定されたウォーターマークを付与する。つまり、濃度が濃い状態のままで解像度の低下したアイコン画像３９に対して「ＣＯＮＦＩＤＥＮＴＩＡＬ」などのウォーターマークを付与するのである。このようにユーザーによって複数の画像処理が順次指定されると、アイコン加工部２７は、ユーザーによる指定が行われる都度、アイコン画像３９に対する画像処理を繰り返し行っていく。そのため、表示領域Ｒ３において画像処理後のファイルを示すアイコン画像３９は、ユーザーによって画像処理が指定される度に、その画像処理を反映させた画像に変化する。したがって、ユーザーは、自身が指定した画像処理によってファイルがどのように変化するかをアイコン画像３９の変化で逐次把握することができる。
【００６８】
図４に戻り、続いて画像処理装置１は、ユーザーによってスタートキーが押下されると、その操作を画像処理の実行指示として検知する（プロセスＰ１２）。そして画像処理装置１は、制御部１０において画像処理部２６を機能させ、ファイル取得部２５によって取得されたファイルに対し、ユーザーによって指定された画像処理を実行する（プロセスＰ１３）。このとき、ユーザーによって複数の画像処理が指定されていれば、それら複数の画像処理をファイルに対して順次実行する。画像処理部２６による画像処理が完了すると、制御部１０においてファイル出力部２８が機能する。そしてファイル出力部２８は、画像処理によって生成されたファイルをユーザーによって指定された出力先へ出力する（プロセスＰ１４）。その後、制御部１０においてアイコン管理部２９が機能し、アイコン管理部２９は、アイコン加工部２７によって生成されたアイコン画像３９を記憶部１１に保存して管理する（プロセスＰ１５）。
【００６９】
上記のように画像処理装置１は、リモート端末２と連携動作を行うことにより、画像処理の前後のファイルに対応するアイコン画像３８，３９を表示するときに、リモート端末２で表示されるアイコン画像と同じアイコン画像を表示させることができるため、ユーザーに違和感を抱かせることない。そしてファイルに対して行うべき画像処理がユーザーによって指定されると、画像処理後のファイルを示すアイコン画像３９がその指定された画像処理を反映させた状態に更新される。したがって、ユーザーは、普段から見慣れているアイコン画像３９の変化によって画像処理がどのような処理であるかを容易に把握することができるという利点がある。
【００７０】
次に図４に示した連携動作を行うために、画像処理装置１で行われる処理手順について説明する。図９は、画像処理装置１で行われる処理手順の一例を示すフローチャートである。この処理は、制御部１０のＣＰＵ１０ａがプログラム７を実行することによって行われる。画像処理装置１は、この処理を開始すると、まずリモート端末２との通信状態を確立する（ステップＳ１）。リモート端末２との通信状態を確立させると、画像処理装置１は、リモート端末２に対して画面リクエストを送信し（ステップＳ２）、リモート端末２から画面情報を受信する（ステップＳ３）。そして画像処理装置１は、図５に示した設定画面の表示領域Ｒ１に、リモート端末２から受信した画面情報に基づく画面を表示する（ステップＳ４）。
【００７１】
続いて画像処理装置１は、ユーザーによるファイル選択操作を受け付ける（ステップＳ５）。ユーザーによってリモート端末２に保存されているファイルが指定されると、画像処理装置１は、リモート端末２に対してファイルリクエストを送信する（ステップＳ６）。このファイルリクエストには、指定されたファイルに対応するアイコン画像を要求するアイコンリクエストも含まれる。そのため、画像処理装置１は、リモート端末２からファイルを受信すると共に（ステップＳ７）、アイコン画像を受信する（ステップＳ８）。画像処理装置１は、リモート端末２からアイコン画像を受信すると、図５に示した設定画面の表示領域Ｒ３に画像処理前後のファイルを示すアイコン画像３８，３９を表示する（ステップＳ９）。この段階では、表示領域Ｒ３に表示されるアイコン画像３８，３９は同じ画像である。
【００７２】
続いて画像処理装置１は、ユーザーによる操作を受け付ける状態となる。まず画像処理装置１は、ユーザーによる画像処理の指定操作を検知したか否かを判断する（ステップＳ１０）。ユーザーによる画像処理の指定操作を検知した場合（ステップＳ１０でＹＥＳ）、画像処理装置１は、ユーザーによって指定された画像処理を特定する（ステップＳ１１）。そして画像処理装置１は、画像処理後のファイルを示すアイコン画像３９に対して特定した画像処理を行うことにより、アイコン画像３９を加工する（ステップＳ１２）。その後、画像処理装置１は、操作パネル１２に表示している画像処理後のファイルを示すアイコン画像３９を、加工後のアイコン画像３９に更新する（ステップＳ１３）。尚、ユーザーによる画像処理の指定操作を検知していない場合（ステップＳ１０でＮＯ）、ステップＳ１１〜Ｓ１３の処理をスキップしてステップＳ１４に進む。
【００７３】
次に画像処理装置１は、ユーザーによる画像処理の実行指示を検知したか否かを判断する（ステップＳ１４）。このときユーザーによる画像処理の実行指示を検知していなければ（ステップＳ１４でＮＯ）、画像処理装置１による処理はステップＳ１０に戻り、上述した処理を繰り返す。したがって、ユーザーは、複数の画像処理のうちからファイルに対して行うべき画像処理を繰り返し指定することができる。
【００７４】
またユーザーによる画像処理の実行指示を検知した場合（ステップＳ１４でＹＥＳ）、画像処理装置１は、ステップＳ７で取得したファイルに対し、ユーザーによって指定された画像処理を実行する（ステップＳ１１）。例えばユーザーによって複数の画像処理が指定されていれば、ユーザーによって指定された順番でそれぞれの画像処理を実行する。そして画像処理装置１は、全ての画像処理が完了したか否かを判断し（ステップＳ１６）、全ての画像処理が完了していなければ（ステップＳ１６でＮＯ）、ステップＳ１５に戻って画像処理を継続実行する。また全ての画像処理が完了した場合（ステップＳ１６でＹＥＳ）、画像処理装置１は、画像処理によって生成されたファイルをユーザーによって指定された出力先へ出力する（ステップＳ１７）。
【００７５】
以上のように本実施形態の画像処理装置１は、ユーザーが所持するリモート端末２と通信を行うことにより、リモート端末２において保持されているファイルのアイコン画像を取得して表示するようにしている。そのため、画像処理装置１において表示されるアイコン画像は、ユーザーが普段から見慣れたアイコン画像である。したがって、ユーザーは、画像処理の対象として指定したファイルが間違っていないかどうかをアイン画像で容易に把握することができる。
【００７６】
また画像処理装置１は、ユーザーによってファイルに対する画像処理が指定されると、その指定された画像処理に基づいて表示中のアイコン画像を加工して表示する。そのため、ユーザーは、普段から見慣れたアイコン画像の変化によって所望の画像処理が行われるかどうかを確認することができるという利点がある。
【００７７】
また画像処理装置１は、画像処理が行われる前のファイルに対応するアイコン画像３８、及び、画像処理が行われた後のファイルに対応するアイコン画像３９を表示部１２ａに表示する。そしてユーザーによって画像処理が指定されたときには、画像処理が行われた後のファイルに対応するアイコン画像３９を加工するようにしている。そのため、ユーザーは、画像処理が行われる前のファイルに対応するアイコン画像３８と、画像処理が行われた後のファイルに対応するアイコン画像３９とを対比させて見ることにより、アイコン画像３９にどのような変化が生じたかを容易に把握することができるという利点がある。
【００７８】
また画像処理装置１は、ユーザーによって指定された画像処理を強調するようにしてアイコン画像３９を加工する。そのため、画像処理の前後においてアイコン画像３９に顕著な変化が現れるようになる。したがって、ユーザーは、容易にアイコン画像３９の変化を把握することができる。
【００７９】
また画像処理装置１は、画像処理部２６によってファイルに対する画像処理が行われる前に、アイコン画像３９を加工するようにしている。そのため、ユーザーは、ファイルに対する画像処理を指定した後、スタートキーを操作する前に、アイコン画像３９の変化を確認することで、ファイルに対して行われる画像処理がどのようなものであるかを把握することができる。そしてユーザーは、所望の画像処理ではないと判断した場合には、ファイルに対する画像処理が開始される前に、画像処理を変更することができる。
【００８０】
（第２実施形態）
次に本発明の第２実施形態について説明する。本実施形態では、ユーザーがファイルのファイル形式を変換する画像処理を選択した後に濃度変換や解像度変換などの各種画像処理を指定する場合の画像処理装置１の動作について説明する。尚、本実施形態における画像処理装置１の構成は、第１実施形態で説明したものと同様である。
【００８１】
図１０は、第２実施形態において画像処理装置１とリモート端末２とが互いに連携する動作の一例を示す図である。まず画像処理装置１及びリモート端末２の通信状態が確立すると（プロセスＰ２０，Ｐ２１）、画像処理装置１は、リモート端末２に画面リクエストを送信し（プロセスＰ２２）、リモート端末２において表示されている表示画面の画面情報を取得する（プロセスＰ２３）。そして画像処理装置１は、操作パネル１２の表示部１２ａに、リモート端末２と連携して行う画像処理を設定するための設定画面を表示する（プロセスＰ２４）。
【００８２】
画像処理装置１は、ユーザーによるファイル選択操作を受け付け（プロセスＰ２５）、画像処理の対象となるファイルが指定されると、リモート端末２に対してファイルリクエストを送信する（プロセスＰ２６）。そして画像処理装置１は、画像処理の対象となるファイルと、そのファイルに対応するアイコン画像とをリモート端末２から取得する（プロセスＰ２７）。画像処理装置１は、リモート端末２からアイコン画像を取得すると、そのアイコン画像を用いて画像処理前後のファイルに対応するアイコン画像３８，３９を表示する（プロセスＰ２８）。
【００８３】
本実施形態では、その後ユーザーによってファイル変換が指定されるものとする。図１１は、ユーザーがファイル変換を指定する画面例を示す図である。リモート端末２から取得したファイルのファイル形式を変換するとき、ユーザーは、図１１に示すように設定画面の表示領域Ｒ２にファイル変換を指定するための画面を表示させる。例えば、表示領域Ｒ２には、ファイル形式を「ＴＥＸＴ」に指定するボタン４１と、ファイル形式を「ＤＯＣ」に指定するボタン４２とが表示される。ユーザーは、これらのボタン４１，４２のうちからひとつのボタンを選択して操作することにより、ファイル変換後のファイル形式を指定することができる。図１１に示す例では、ユーザーが「ＤＯＣ」のファイル形式を選択した場合を示している。
【００８４】
図１０に戻り、ユーザーによってファイル変換が指定されると（プロセスＰ２９）、画像処理装置１は、リモート端末２に対して、ファイル変換後のファイル形式に対応するアイコン画像を要求するためのアイコンリクエストを送信する（プロセスＰ３０）。これにより、画像処理装置１は、リモート端末２からファイル変換後のファイル形式に対応するアイコン画像を取得することができる（プロセスＰ３１）。アイコン取得部２２は、リモート端末２からファイル変換後のアイコン画像を取得すると、そのアイコン画像をアイコン加工部２７経由で表示制御部２３へ出力する。そして表示制御部２３は、ファイル変換後のファイル形式に対応するアイコン画像を、画像処理後のファイルを示すアイコン画像３９として表示する。その結果、図１１に示すように、表示領域Ｒ３に表示される画像処理後のファイルを示すアイコン画像３９は、ユーザーによって指定されたファイル変換後のファイル形式に対応したアイコン画像に変わる。したがって、ユーザーは、普段から見慣れているアイコン画像でファイル変換後のファイル形式を確認することができる。
【００８５】
次に画像処理装置１は、ユーザーによる画像処理の指定操作を受け付ける（プロセスＰ３３）。ユーザーによって画像処理が指定されると、画像処理装置１は、アイコン加工部２７を機能させ、画像処理後のファイルを示すアイコン画像３９を加工する（プロセスＰ３４）。これにより、表示領域Ｒ３において表示される画像処理後のファイルを示すアイコン画像３９が、ユーザーによって指定された画像処理を反映させた画像に更新される。
【００８６】
続いて画像処理装置１は、ユーザーによってスタートキーが押下されると、その操作を画像処理の実行指示として検知し（プロセスＰ３５）、ファイル取得部２５によって取得されたファイルに対し、ユーザーによって指定された画像処理を実行する（プロセスＰ３６）。そしてファイルに対する画像処理が完了すると、画像処理装置１は、画像処理によって生成されたファイルをユーザーによって指定された出力先へ出力する（プロセスＰ３７）。その後、画像処理装置１は、アイコン加工部２７によって生成されたアイコン画像３９を記憶部１１に保存して管理する（プロセスＰ３８）。
【００８７】
本実施形態の画像処理装置１は、ユーザーによってファイルのファイル形式を変換するファイル変換が指定されると、ファイル変換後のファイル形式に対応したアイコン画像をリモート端末２から取得する。そのため、画像処理装置１においてファイル変換が行われる場合であっても、ファイル変換後のファイル形式に対応するアイコン画像を、リモート端末２で表示されるアイコン画像を用いて表示することができる。そして更にファイル変換後のファイルに対して行うべき画像処理がユーザーによって指定されると、画像処理装置１は、ファイル変換後のファイル形式に対応したアイコン画像３９を、その指定された画像処理を反映させた状態に更新する。したがって、ユーザーは、普段から見慣れているアイコン画像３９の変化によって画像処理がどのような処理であるかを容易に把握することができるようになる。
【００８８】
尚、本実施形態において上述した動作以外の動作については第１実施形態で説明したものと同様である。
【００８９】
（第３実施形態）
次に本発明の第３実施形態について説明する。本実施形態では、画像処理装置１が、記憶部１１に記憶されているファイルに対して画像処理を行い、画像処理後のファイルをリモート端末２へ出力する動作について説明する。尚、本実施形態における画像処理装置１の構成は、第１実施形態で説明したものと同様である。
【００９０】
図１２は、第３実施形態において画像処理装置１とリモート端末２とが互いに連携する動作の一例を示す図である。まず画像処理装置１及びリモート端末２の通信状態が確立すると（プロセスＰ４０，Ｐ４１）、画像処理装置１は、リモート端末２に画面リクエストを送信し（プロセスＰ４２）、リモート端末２において表示されている表示画面の画面情報を取得する（プロセスＰ４３）。そして画像処理装置１は、操作パネル１２の表示部１２ａに、リモート端末２と連携して行う画像処理を設定するための設定画面を表示する（プロセスＰ４４）。
【００９１】
続いて画像処理装置１は、ユーザーによるファイル選択操作を受け付ける（プロセスＰ４５）。このとき、ユーザーは、記憶部１１のファイル記憶部９に記憶されているファイルを画像処理の実行対象として指定することもできる。記憶部１１に記憶されているファイルがユーザーによって指定されると、画像処理装置１はアイコン取得部２２を機能させる。そしてアイコン取得部２２は、ユーザーによって指定されたファイルのファイル形式を判別し、リモート端末２に対してファイル形式を指定したアイコンリクエストを送信する（プロセスＰ４６）。これにより、アイコン取得部２２は、ユーザーによって指定されたファイルのファイル形式に対応するアイコン画像をリモート端末２から取得することができる（プロセスＰ４７）。
【００９２】
画像処理装置１は、ユーザーによって指定されたファイルのファイル形式に対応するアイコン画像をリモート端末２から取得すると、そのアイコン画像を用いて画像処理前後のファイルに対応するアイコン画像３８，３９を表示する（プロセスＰ４８）。したがって、ユーザーは、画像処理装置１の記憶部１１に記憶されているファイルを指定した場合であっても、画像処理前後のファイルを、普段から見慣れているアイコン画像で確認することができる。
【００９３】
次に画像処理装置１は、ユーザーによる画像処理の指定操作を受け付ける（プロセスＰ４９）。ユーザーによって画像処理が指定されると、画像処理装置１は、アイコン加工部２７を機能させ、画像処理後のファイルを示すアイコン画像３９を加工する（プロセスＰ５０）。これにより、表示領域Ｒ３において表示される画像処理後のファイルを示すアイコン画像３９が、ユーザーによって指定された画像処理を反映させた画像に更新される。
【００９４】
続いて画像処理装置１は、ユーザーによる画像処理の実行指示を検知すると（プロセスＰ５１）、記憶部１１から読み出されたファイルに対して画像処理を実行する（プロセスＰ５２）。そしてファイルに対する画像処理が完了すると、画像処理装置１は、画像処理によって生成されたファイルをユーザーによって出力先として指定されているリモート端末２へ送信する（プロセスＰ５３）。このとき、画像処理装置１は、画像処理によって生成されたファイルと共に、アイコン加工部２７によって加工されたアイコン画像３９を送信する。したがって、リモート端末２は、画像処理装置１から受信したファイルを示すアイコン画像を表示するとき、画像処理装置１において加工されたアイコン画像３９を用いて表示することができる。その後、画像処理装置１は、アイコン加工部２７によって生成されたアイコン画像３９を記憶部１１に保存して管理する（プロセスＰ５４）。
【００９５】
このように本実施形態では、ユーザーによって画像処理装置１に記憶されているファイルが画像処理の対象として指定された場合であっても、リモート端末２からアイコン画像を表示することができる。また本実施形態では、ユーザーによって画像処理後のファイルの出力先としてリモート端末２が指定される場合であっても、その出力先のリモート端末２からアイコン画像を取得して表示することができる。そのため、ユーザーは、普段から見慣れているアイコン画像で画像処理前後のファイルを確認することができる。
【００９６】
また本実施形態の画像処理装置１は、画像処理後のファイルをリモート端末２へ送信するときには、ファイルと共に、アイコン加工部２７によって加工されたアイコン画像をリモート端末２へ送信する。そのため、リモート端末２が画像処理装置１から受信したファイルを示すアイコン画像を表示するときには、そのファイルと共に受信したアイコン画像を用いて表示することができる。したがって、ユーザーは、リモート端末２において表示されるアイコン画像を見れば、ファイルに対してどのような画像処理が行われているかを容易に把握することができるようになる。
【００９７】
尚、本実施形態の画像処理装置１において上述した構成及び動作以外については、第１実施形態で説明したものと同様である。
【００９８】
（変形例）
以上、本発明に関する幾つかの実施形態について説明したが、本発明は、上記実施形態において説明した内容のものに限られるものではなく、種々の変形例が適用可能である。
【００９９】
例えば上記実施形態では、画像処理装置１がコピー機能やスキャン機能、プリント機能などを備えるＭＦＰなどで構成される場合について説明した。しかし、画像処理装置１は、ＭＦＰなどのようにコピー機能やスキャン機能、プリント機能などを備えたものに限られない。すなわち、画像処理装置１は、上述したように濃度変換や解像度変換などの複数の画像処理を実行可能であり、それら複数の画像処理の中からユーザーによって指定された画像処理を実行可能なものであれば良い。
【０１００】
また上記実施形態では、画像処理装置１がリモート端末２からファイルを取得する場合、及び、画像処理後のファイルをリモート端末２へ出力する場合のいずれであっても、リモート端末２からアイコン画像を取得して表示することが可能であることを説明した。例えば、画像処理装置１は、第１のリモート端末から画像処理前のファイルを取得し、画像処理後のファイルを第２のリモート端末へ出力することも可能である。このような場合、画像処理装置１は、画像処理前のファイルに対応するアイコン画像を第１のリモート端末から取得し、画像処理後のファイルに対応するアイコン画像を第２のリモート端末から取得するようにしても良い。
【０１０１】
また上記実施形態では、画像処理装置１が画像処理前のファイルに対応するアイコン画像３８と、画像処理後のファイルに対応するアイコン画像３９との２つのアイコン画像を設定画面の表示領域Ｒ３に表示する場合を例示した。しかし、これに限られるものではなく、設定画面の表示領域Ｒ３に表示されるアイコン画像は１つであっても構わない。この場合、ユーザーによって画像処理が指定されることに伴い、表示領域Ｒ３に表示されている１つのアイコン画像を加工して表示すれば良い。
【符号の説明】
【０１０２】
１  画像処理装置
２  リモート端末
１０  制御部
１１  記憶部（記憶手段）
１３  無線通信インタフェース
１４  ネットワークインタフェース
１２ａ  表示部（表示手段）
２１  表示情報取得部
２２  アイコン取得部（アイコン取得手段）
２３  表示制御部（表示制御手段）
２５  ファイル取得部（ファイル取得手段）
２６  画像処理部（画像処理手段）
２７  アイコン加工部（アイコン加工手段）
２８  ファイル出力部（ファイル出力手段）
２９  アイコン管理部（アイコン管理手段）
【図１】
2019029744.tif 000003
【図２】
2019029744.tif 000004
【図３】
2019029744.tif 000005
【図４】
2019029744.tif 000006
【図５】
2019029744.tif 000007
【図６】
2019029744.tif 000008
【図７】
2019029744.tif 000009
【図８】
2019029744.tif 000010
【図９】
2019029744.tif 000011
【図１０】
2019029744.tif 000012
【図１１】
2019029744.tif 000013
【図１２】
2019029744.tif 000014